(57)【要約】【課題】レシートプリンタによる金銭管理情報の出力と取り扱いを容易にした料金管理装置を提供する。【解決手段】  筐体２の前面開口部２６に設けられている前扉３の開閉状態を検知する扉開検知スイッチ５７と、筐体２に固定され、ロール紙７０に印刷した部分をカッター装置６３により切断することでレシート紙７２を発行するレシートプリンタ１１と、扉開検知スイッチ５７の検知結果に基づきレシートプリンタ１１を制御するＣＰＵ５０と、を備え、ＣＰＵ５０は、扉開検知スイッチ５７が前扉３の閉状態を検知した場合に、ロール紙７０を完全に切り離す完全切断を、レシートプリンタ１１のカッター装置６３に実行させ、扉開検知スイッチ５７が前扉３の開状態を検知した場合に、ロール紙７０を部分的に切り離す部分切断を、レシートプリンタ１１のカッター装置６３に実行させる。【選択図】図７
2014086039.tif 000002
【特許請求の範囲】
【請求項１】
筐体の少なくとも一面の開口部に設けられている開閉扉の開閉状態を検知する開閉扉検知部と、
前記筐体に固定され、所定の用紙に印刷した部分を切断手段により切断することでレシート紙を発行するレシートプリンタと、
前記開閉扉検知部の検知結果に基づき前記レシートプリンタを制御する制御手段と、を備え、
前記制御手段は、
前記開閉扉検知部が前記開閉扉の閉状態を検知した場合に、前記所定の用紙を完全に切り離す完全切断を、前記レシートプリンタの前記切断手段に実行させ、
前記開閉扉検知部が前記開閉扉の開状態を検知した場合に、前記所定の用紙を部分的に切り離す部分切断を、前記レシートプリンタの前記切断手段に実行させることを特徴とする料金管理装置。
【請求項２】
金銭管理用金庫の着脱状態を検知する金銭管理用金庫検知部を備え、
前記制御手段は、
前記開閉扉の開状態で、前記金銭管理用金庫検知部が前記金銭管理用金庫の取外し状態を検知した場合に、当該金銭管理用金庫内に蓄積された金銭額を含む情報が印刷されたレシート紙を前記レシートプリンタに発行させることを特徴とする請求項１に記載の料金管理装置。
【請求項３】
所定の入力操作を行うための入力手段を備え、
前記レシートプリンタは、前記入力手段を介して前記所定の入力操作がされたことを前記制御手段が認識した場合に、管理用レシート紙を発行することを特徴とする請求項１または２に記載の料金管理装置。
【請求項４】
前記レシートプリンタは、前記開閉扉検知部により前記開閉扉の閉状態が検知されたことを前記制御手段が認識した場合に、管理用レシート紙を発行することを特徴とする請求項１または２に記載の料金管理装置。
【請求項５】
前記開閉扉に固定され、前記レシートプリンタの前記レシート紙の発行口に対向する位置に形成された取出連通口を介して送り出された前記レシート紙を収容する取出口ユニットを備え、
前記開閉扉が閉状態の時に前記レシートプリンタと前記取出口ユニットとの間には、前記発行口より下方に向かって隙間が形成され、
前記所定の用紙は、長尺の用紙を巻回して構成されたロール紙であり、
前記レシートプリンタにより前記ロール紙が引き出され、前記切断手段により部分切断されて発行された巻き癖の付いた前記レシート紙が前記隙間に入り込んだ状態で、前記レシートプリンタが前記管理用レシート紙を発行すると、前記レシート紙の巻き癖により該レシート紙が前記隙間に保持され、前記管理用レシート紙は前記取出連通口を介して前記取出口ユニットに送り出されることを特徴とする請求項３または４に記載の料金管理装置。
【請求項６】
前記レシートプリンタの前記発行口の上側には、前記隙間に延出する発行口ガイドが設けられ、
前記取出連通口の上下方向の長さは、前記発行口の上下方向の長さよりも大きく形成されていることを特徴とする請求項５に記載の料金管理装置。
【請求項７】
前記隙間を形成する前記レシートプリンタと前記取出口ユニットとの夫々対向する面の少なくとも一方には、弾性部材が設けられていることを特徴とする請求項５または６に記載の料金管理装置。
【発明の詳細な説明】
【技術分野】
【０００１】
本発明は、料金精算機や自動販売機等の開閉扉の開閉状態等よって、レシート発行状態を変化させるレシートプリンタを搭載した料金管理装置に関するものである。
【背景技術】
【０００２】
昨今、都市部の遊休地の有効利用等のため無人管理の駐車場が普及しており、駐車場等の料金管理装置として、ゲート式駐車場における出口料金精算機や、フラップ式駐車場における料金精算機等が用いられている。このような料金管理装置では、業務利用用途の利用者等のために、利用料金の領収証を発行する機能が略標準的に搭載されている。
【０００３】
駐車場の料金管理装置に限らず汎用の自動販売機等では、領収証やクーポン券等の発行用のレシートプリンタとして、一般的に、安価な汎用のレシートプリンタを用いている。特別な専用プリンタを装置毎に都度開発・製造することはコスト高となるためである。このため、領収証等の発行（出力）位置やレシート用紙の交換容易性等を考慮して、汎用のレシートプリンタの取付状態を工夫して使用しているのが実情である。
【０００４】
例えば特許文献１には、既存の自動販売機に何らの改造を加えずにプリンタユニットを装着することを目的として、本体キャビネットの外扉の前面に紙幣識別装置に対応する紙幣挿入口（又はカードリード／ライターに対応するカード挿入口）の取付部を備え、紙幣挿入口等の取付部位にフラッパ付きの化粧枠を配し、化粧枠の内側に印刷物の発行ボタン及び印刷物払出し通路となる用紙ガイドの印刷物払出し口を臨ませて外扉の庫内側にプリンタユニットを装着した自動販売機が開示されている。プリンタユニットは、ユニットケースと、ユニットケースに対し、その下端部のヒンジを中心に回動可能に収められたプリンタとにより構成されている。なお、プリンタには、ロール紙が内装されている。
【０００５】
また、例えば特許文献２には、釣り銭受け部を小さくでき、また、釣り銭とレシートを容易に取り出し可能にすることを目的として、レシート誘導部を介して釣り銭受け部に接続され、入金装置も釣り銭誘導部を介して釣り銭受け部に接続されたレシートプリンタを有し、釣り銭受け部の取り出し口には、釣り銭が外部へ飛び出さないようにする釣り銭扉が内側へ回動可能に設けられ、釣り銭扉を開閉する扉開閉機構が制御部からの信号により、入金装置が釣り銭を払い戻した後であって、レシートプリンタがレシートを釣り銭受け部に排出する前に、釣り銭扉を自動的に内側へ所定の角度まで開放する自動販売機が開示されている。
【先行技術文献】
【特許文献】
【０００６】
【特許文献１】特開２００８−１７１０６４号公報
【特許文献２】特開平０６−２３１３４５号公報
【発明の概要】
【発明が解決しようとする課題】
【０００７】
しかしながら、特許文献１に記載の自動販売機では、プリンタのロール紙を交換する場合、まず外扉を開けて、次にユニットケースに対してプリンタを回動させて引き倒し、更にプリンタのロール紙収容部を開放しなければならず、非常に煩雑な作業となる問題があった。また、プリンタユニット（プリンタ）を他の用途、例えば、金銭管理情報の出力等に使用する場合、通常、係員は外扉を開けて作業することとなるが、印刷された紙は外扉の外側に発行されることになるため、外扉を開けたままでの作業ができないという問題があった。
【０００８】
この点、特許文献２に記載の自動販売機では、内部にレシートプリンタを配置してレシート誘導部を介して釣り銭受け部にレシートを発行するため、仮に開閉扉側に釣り銭受け部が設けられている場合でも、レシート誘導部及びレシートプリンタを自動販売機内部側に配置すれば、開閉扉の開閉に関わらず、レシートプリンタから印刷物（レシート紙）を出力することができる。このため、例えば、開閉扉を開けた状態で内部の金庫の残金管理の金銭集計データ等を印刷し、レシート紙を得ることが可能となる。
【０００９】
ところが、特許文献２に記載の自動販売機において、レシートプリンタとレシート誘導部とが、開閉扉側と自動販売機内部側とで分断されて配置されている場合、開閉扉が開いた状態で印刷出力が行われて自動で切断されると、レシートプリンタの出力口から発行されたレシート紙が落下してしまう。このため、係員は、発行されるレシート紙を常に監視して、レシート紙が落下しないように適切に保持しなければならず、非常に使い勝手が悪いという問題があった。
【００１０】
本発明は、例えば上記した問題に鑑みてなされたものであり、利用者が通常使用する場合と、開閉扉を開放して係員が所望の印刷を行うような場合に、作業性を向上させることができるレシートプリンタを備えた料金管理装置を提供することである。
【課題を解決するための手段】
【００１１】
上記の技術的課題を解決するために、本発明の第１の料金管理装置は、筐体の少なくとも一面の開口部に設けられている開閉扉の開閉状態を検知する開閉扉検知部と、前記筐体に固定され、所定の用紙に印刷した部分を切断手段により切断することでレシート紙を発行するレシートプリンタと、前記開閉扉検知部の検知結果に基づき前記レシートプリンタを制御する制御手段と、を備え、前記制御手段は、前記開閉扉検知部が前記開閉扉の閉状態を検知した場合に、前記所定の用紙を完全に切り離す完全切断を、前記レシートプリンタの前記切断手段に実行させ、前記開閉扉検知部が前記開閉扉の開状態を検知した場合に、前記所定の用紙を部分的に切り離す部分切断を、前記レシートプリンタの前記切断手段に実行させることを特徴とする。
【００１２】
本発明の第１の料金管理装置によれば、利用者が操作可能な通常の開閉扉の閉じた状態では、所定の用紙が完全切断されてレシート紙が発行されるため、例えば、取出口に排出されたレシート紙は、利用者にとって受け取り易いものとなる。一方で、開閉扉が開いた状態で、係員等により行なわれるメンテナンス等の際には、レシート紙は、部分切断されて発行されるため、発行されたレシート紙を係員が常に保持していなくても、レシート紙が落下することを防止することができる。また、発行されたレシート紙が、風に飛ばされる等して紛失することを防止することができる。
【００１３】
本発明の第２の料金管理装置は、上記した本発明の第１の料金管理装置において、金銭管理用金庫の着脱状態を検知する金銭管理用金庫検知部を備え、前記制御手段は、前記開閉扉の開状態で、前記金銭管理用金庫検知部が前記金銭管理用金庫の取外し状態を検知した場合に、当該金銭管理用金庫内に蓄積された金銭額を含む情報が印刷されたレシート紙を前記レシートプリンタに発行させることを特徴とする。
【００１４】
本発明の第２の管理装置によれば、係員が金銭管理用金庫を外した時に自動的にレシートプリンタで金銭蓄積額を含む情報が印刷されたレシート紙が発行される。また、例えば、金銭管理用金庫が複数ある場合には、各金庫を取り外す度に個々に自動でレシート紙が発行されることとなるため、係員が個別にレシート紙の発行を操作する必要が無く、係員にとっての利便性が向上する。さらに、金銭蓄積額を含む情報が印刷されたレシート紙が連続して発行される場合、夫々が連結された状態で発行されるため、係員は、金銭管理用金庫を取り外す度にレシート紙を保持する必要が無く、係員にとっての利便性が向上する。
【００１５】
本発明の第３の料金管理装置は、上記した本発明の第１または第２の料金管理装置において、所定の入力操作を行うための入力手段を備え、前記レシートプリンタは、前記入力手段を介して前記所定の入力操作がされたことを前記制御手段が認識した場合に、管理用レシート紙を発行することを特徴とする。
【００１６】
本発明の第３の料金管理装置によれば、例えば、料金管理装置のメンテナンスをする場合に、係員に管理用レシート紙を持ち帰る（収集する）ことを義務付けるといった運用を採用することができる。これにより、料金管理装置のメンテナンス履歴等の運用管理を円滑に行うことができる。また、管理用レシート紙を取得していない場合には、メンテナンス時に発行された作業内容等が印刷されたレシート紙を取り忘れた可能性があることを、係員が認識することができる。
【００１７】
本発明の第４の料金管理装置は、上記した本発明の第１または第２の料金管理装置において、前記レシートプリンタは、前記開閉扉検知部により前記開閉扉の閉状態が検知されたことを前記制御手段が認識した場合に、管理用レシート紙を発行することを特徴とする。
【００１８】
本発明の第４の料金管理装置によれば、例えば、料金管理装置のメンテナンスに際し係員に管理用レシート紙の収集を義務付けた運用を採用した場合、開閉扉が閉まることにより自動的に管理用レシート紙が発行されるため、管理用レシート紙発行の操作を省略することができる。これにより、係員にとっての使い勝手が向上すると共に、料金管理装置のメンテナンス履歴等の運用管理を円滑に行うことができる。
【００１９】
本発明の第５の料金管理装置は、上記した本発明の第３または第４の料金管理装置において、前記開閉扉に固定され、前記レシートプリンタの前記レシート紙の発行口に対向する位置に形成された取出連通口を介して送り出された前記レシート紙を収容する取出口ユニットを備え、前記開閉扉が閉状態の時に前記レシートプリンタと前記取出口ユニットとの間には、前記発行口より下方に向かって隙間が形成され、前記所定の用紙は、長尺の用紙を巻回して構成されたロール紙であり、前記レシートプリンタにより前記ロール紙が引き出され、前記切断手段により部分切断されて発行された巻き癖の付いた前記レシート紙が前記隙間に入り込んだ状態で、前記レシートプリンタが前記管理用レシート紙を発行すると、前記レシート紙の巻き癖により該レシート紙が前記隙間に保持され、前記管理用レシート紙は前記取出連通口を介して前記取出口ユニットに送り出されることを特徴とする。
【００２０】
本発明の第５の料金管理装置によれば、係員が発行されたレシート紙を取り去り、開閉扉を閉めた場合には、管理用レシート紙は取出連通口を通して取出口ユニット内に送り出される。また、例えば、係員が発行されたレシート紙を取り去ることを失念し、開閉扉を閉めてしまった場合であっても、レシート紙は自身の巻き癖によって隙間に保持されているため、管理用レシート紙は、適切に取出連通口を通して取出口ユニット内に送り出される。そして、係員が管理用レシート紙の発行を認識することで、取り忘れたレシート紙を回収することができる。従って、例えば、料金管理装置の保守の際に必ず管理レシートを取得する運用とすれば、係員はレシート紙の取り忘れを認識することができ、筐体内部にそのままレシート紙を放置するようなことを防止することができる。
【００２１】
本発明の第６の料金管理装置は、上記した本発明の第５の料金管理装置において、前記レシートプリンタの前記発行口の上側には、前記隙間に延出する発行口ガイドが設けられ、前記取出連通口の上下方向の長さは、前記発行口の上下方向の長さよりも大きく形成されていることを特徴とする。
【００２２】
本発明の第６の料金管理装置によれば、発行口ガイドによって、開閉扉を閉めた際に、レシート紙が上方に舞い上がり、隙間に折れ曲がって挟まるようなことが防止できる。これにより、隙間に保持されたレシート紙を、適切に引き出す（回収する）ことが可能となる。
【００２３】
本発明の第７の料金管理装置は、上記した本発明の第５または第６の料金管理装置において、前記隙間を形成する前記レシートプリンタと前記取出口ユニットとの夫々対向する面の少なくとも一方には、弾性部材が設けられていることを特徴とする。
【００２４】
本発明の第７の料金管理装置によれば、温度・湿度等の周囲環境の変化によってレシート紙の巻き癖の状態が変化しても適切にレシート紙を保持することができ、開閉扉を閉じた状態でのレシート紙の回収を適切に行うことができる。
【発明の効果】
【００２５】
以上の如く構成された本発明に係る料金管理装置によれば、開閉扉が開状態では、レシート紙は部分切断されて発行されるため、レシート紙を係員が常に保持せずともレシート紙の落下等を防止することができ、係員にとって使い勝手の良いものとなる。
【図面の簡単な説明】
【００２６】
【図１】本発明の第１の実施形態に係る駐車料金精算機において、前扉が閉止された状態を示す外観斜視図である。
【図２】本発明の第１の実施形態に係る駐車料金精算機において、前扉が開放された状態を示す外観斜視図である。
【図３】本発明の第１の実施形態に係る駐車料金精算機の電気的構成を示すブロック図である。
【図４】本発明の第１の実施形態に係る駐車料金精算機のレシートプリンタにおいてロール紙の切断前の状態を示す外観斜視図である。
【図５】本発明の第１の実施形態に係る駐車料金精算機のレシートプリンタの電気的構成を示すブロック図である。
【図６】本発明の第１の実施形態に係る駐車料金精算機のレシートプリンタにおいてロール紙の切断後の状態を示す断面図である。
【図７】本発明の第１の実施形態に係る駐車料金精算機のレシートプリンタにおいて部分切断が行われた状態を示す斜視図である。
【図８】本発明の第１の実施形態に係る駐車料金精算機のレシートプリンタにおいて部分切断が行われた状態を示す断面図である。
【図９】本発明の第１の実施形態に係る駐車料金精算機の制御手段の機能構成を示す説明図である。
【図１０】本発明の第１の実施形態に係る駐車料金精算機のレシートプリンタの制御部の設定機能の構成を示す説明図である。
【図１１】本発明の第１の実施形態に係る駐車料金精算機のレシートプリンタの制御部の印刷機能の構成を示す説明図である。
【図１２】本発明の第２の実施形態に係る駐車料金精算機のレシートプリンタにおいて複数のレシート紙が発行され、前扉が閉止された状態を示す断面図である。
【図１３】本発明の第２の実施形態に係る駐車料金精算機のレシートプリンタにおいて管理用レシート紙が発行された状態を示す断面図である。
【図１４】本発明の第２の実施形態に係る駐車料金精算機のレシートプリンタにおいて管理用レシート紙が発行された状態を示す斜視図である。
【図１５】本発明の第２の実施形態に係る駐車料金精算機のレシートプリンタが発行した管理用レシート紙を示す説明図である。
【発明を実施するための形態】
【００２７】
以下、本発明に係る料金管理装置の実施の形態について添付した図面を参照しながら説明する。この実施の形態は本発明の好適な具体例であって、技術的に好ましい種々の限定を付している場合もあるが、本発明の技術範囲は、特に本発明を限定する記載がない限りこれらの態様に限定されるものではない。
【００２８】
（第１の実施形態）
図１及び図２を参照して、本発明の料金管理装置の第１の実施形態としての駐車料金精算機１について説明する。図１は、第１の実施形態に係る駐車料金精算機１の前扉が閉止された状態を示す外観斜視図であり、図２は、前扉が開放された状態を示す外観斜視図である。以下、便宜上、図１における左手前側を駐車料金精算機１の正面側（前側）とし、各図中において矢印で示した向きを基準として、前後、左右および上下の向きを規定して説明する。
【００２９】
図１及び図２に示される駐車料金精算機１は、例えばフラップ式駐車場の場内の一角に設置されている。駐車料金精算機１は、筐体２と、筐体２の前面に取り付けられた開閉扉としての前扉３と、により縦長直方体形状の外観を成している。また、駐車料金精算機１の筐体２及び前扉３の内部には、カード読取処理装置１０と、レシートプリンタ１１と、表示画面装置１２と、紙幣識別装置１３と、紙幣金庫１４と、キー入力装置１５と、硬貨識別装置１６と、硬貨払出装置１７と、硬貨金庫１８と、取出口ユニット１９と、が配設されている。
【００３０】
筐体２は、金属製であり、左右に設けられた左側壁２１及び右側壁２２と、上下に設けられた天井部２３及び底板部２４と、背面側に設けられた後側壁２５と、を屈曲及び溶接して中空箱型形状に形成されている。また、筐体２の正面側（前側）には、その全面に開口した前面開口部２６が形成されている。
【００３１】
筐体２の右側壁２２の外側前方には、錠前ユニット２７が設けられており、錠前ユニット２７は、右側壁２２に固定される本体部２７ａと、本体部２７ａに支持されるハンドル２７ｂと、ハンドル２７ｂよりも下方に設けられて筐体２の内部に突出する錠前シリンダ（図示せず）と、を備えている。本体部２７ａには、ハンドル２７ｂを支持する部分よりも下方に凹部状の鍵挿入部２７ｃが設けられている。鍵挿入部２７ｃの上方には、錠前シリンダに接続された鍵穴（図示せず）が設けられ、この鍵穴に挿入した鍵（図示せず）を回転させることでハンドル２７ｂが本体部２７ａから突出し、ハンドル２７ｂの回転操作が可能となる。
【００３２】
筐体２の右側壁２２の前端、すなわち前面開口部２６の右端には、鉛直方向に延びる右枠部２２ａが設けられている。右枠部２２ａの内側には、鉛直方向にスライド可能なロックスライド（図示せず）が組み込まれている。ロックスライドは、接続機構（図示せず）を介してハンドル２７ａに接続されており、ハンドル２７ａの回転操作に伴って鉛直方向にスライドするように構成されている。また、筐体２の左側壁２１の前端部、すなわち前面開口部２６の左端には、上下方向に亘って長蝶番ヒンジ２１ａが取り付けられている。
【００３３】
底板部２４には、通線口２４ａが貫通形成されている。通線口２４ａには、駐車料金精算機１の各構成要素と、複数のフラップ装置（図示せず）とを電気的に接続するケーブル（図示せず）が挿通するようになっている。
【００３４】
筐体２の内部には、上下方向中央よりも下方に、略水平な棚板２８が設けられている。棚板２８は、筐体２の左側壁２１と右側壁２２との間に架設されており、筐体２の内部空間を上下に区画している。
【００３５】
また、棚板２８の上面のやや左方には、略鉛直な仕切板２９が立設されている。仕切板２９は、棚板２８の上方において筐体２の内部空間を左右に区画している。従って、筐体２の内部空間は、仕切板２９よりも右側の右側収容部２ｘと、仕切板２９よりも左側の左側収容部２ｙと、棚板２８より下側の底板部２４の間の下側収容部２ｚと、に区画されている。なお、仕切板２９の上端部は、筐体２の天井部２３には接続されていない。このため、右側収容部２ｘと左側収容部２ｙとは、仕切板２９の上端部と天井部２３との間の空間を介して連通している。
【００３６】
カード読取処理装置１０は、左側収容部２ｙの上部において筐体２の左側壁２１と仕切板２９との間に挟み込まれて固定されている。カード読取処理装置１０の前面には、カード挿入口１０ａが設けられている。なお、図示は省略するが、左側収容部２ｙの棚板２８上の後方には縦長で上部が開口したカード回収箱が収容されている。例えば、カード読取処理装置１０で一時駐車券やサービス券等のカード類を読み込んで（取り込んで）廃棄回収する場合、カード読取処理装置１０の奥側の図示しない排出口から排出されたカード類は、カード回収箱に自然落下して回収されるようになっている。
【００３７】
レシートプリンタ１１は、右側収容部２ｘの棚板２８の上面前端に沿った位置か、若しくは前端よりも若干手前に突出した位置に配置されている。レシートプリンタ１１は、領収証等を印刷して、外部に出力（発行）する。
【００３８】
次に、前扉３について説明する。前扉３は、筐体２の前面と略同一の大きさ及び形状に形成された扉前側壁３０と、扉前側壁３０の後面（内面）の外縁部に沿って後方に突設された矩形状の扉枠３１と、を有している。なお、扉枠３１は、後述する各部を配設できるように前後方向に十分な長さを取って形成されている。
【００３９】
扉枠３１の左側後方端部には、筐体２の左側壁２１の前端部に設けられた長蝶番ヒンジ２１ａに開閉動作自在に取り付けられている。すなわち、前扉３は、筐体２の前面開口部２６を選択的に開閉することができるように構成されている。具体的には、扉枠３１の右側部の内面側には、フック穴を備えた複数個のフック板（図示せず）が設けられている。フック板のフック穴に筐体２の右側壁２２のロックスライドが係合することで、筐体２に対する前扉３の開放が規制される。一方、ハンドル２７ｂを回転操作してロックスライドを鉛直方向にスライドさせ、フック穴に対するロックスライドの係合を解除することで、筐体２に対する前扉３の開放が許容される。
【００４０】
前扉３の扉前側壁３０には、上部左側に開口した表示画面用開口部３ａと、表示画面用開口部３ａの右隣りに開口したキー入力用開口部３ｂと、表示画面用開口部３ａの下隣りに開口したカード挿入用開口部３ｃと、カード挿入用開口部３ｃの右隣りに開口した紙幣挿入口用開口部３ｄと、紙幣挿入口用開口部３ｄの下隣りに開口した硬貨投入口用開口部３ｅと、が厚み方向（前後方向）に貫通形成されている。表示画面用開口部３ａ、キー入力用開口部３ｂ、カード挿入用開口部３ｃ及び紙幣挿入口用開口部３ｄは、各々略矩形状の開口であり、前扉３の扉前側壁３０の上部において格子状に整列して形成されている。硬貨投入口用開口部３ｅは、略円形の開口である。なお、カード挿入用開口部３ｃは、カード読取処理装置１０と対応する位置に設けられている。これにより、カード読取処理装置１０のカード挿入口１０ａは、図１に示す前扉３の閉状態で、カード挿入用開口部３ｃに挿入されて前扉３（扉前側壁３０）の前面側に露出するようになっている。
【００４１】
さらに、前扉３の扉前側壁３０の上下方向中央よりやや下方には、音声ガイダンス出力用のスピーカ５５（図３参照）のための複数の小径穴が並設されたスピーカ用開口部３ｆと、スピーカ用開口部３ｆの右斜め下方に開口した釣銭・領収証取出口３ｇと、が貫通形成されている。なお、釣銭・領収証取出口３ｇは、略矩形状の開口であり、開閉可能で且つ内部を視認可能な透明な材料で形成された取出口カバー３２によって内面側から覆われている。また、取出口カバー３２は、その上端部に設けられたヒンジ部３３（図６参照）を中心として後方に回動可能に扉前側壁３０の内面側に取り付けられている。
【００４２】
次に、前扉３に取り付けられる構成要素について説明する。
【００４３】
図１及び図２に示すように、前扉３の上部左側の内面側には、電装部品としての表示画面装置１２が取り付けられている。表示画面装置１２は、扉前側壁３０の表示画面用開口部３ａを内面側から覆うようにして設けられ、その前面に形成された矩形状の液晶表示部が、表示画面用開口部３ａから露出し、外部から視認可能となっている。液晶表示部には、日付、曜日、時刻等とともに、「車室番号を入力して下さい。」等のガイダンスや駐車料金などの各種情報が表示されるようになっている。
【００４４】
前扉３の上部右側の内面側には、紙幣識別装置１３が取り付けられている。紙幣識別装置１３は、売上金等の紙幣を収容する装置本体３４と、装置本体３４の下部前側に設けられた紙幣挿入口３５と、を有している。
【００４５】
紙幣挿入口３５は、紙幣挿入口用開口部３ｄから前扉３（扉前側壁３０）の前面側に露出しており、紙幣挿入口３５から挿入された紙幣は、装置本体３４内へと搬送されて紙幣金庫１４内に収容されるようになっている。なお、紙幣金庫１４は、装置本体３４から取り外し可能となっている。また、紙幣金庫１４の背面側には、紙幣金庫１４が装置本体３４から取り外されたこと（移動）を検知可能な紙幣金庫スイッチ３６（図３参照）が設けられている。なお、紙幣金庫スイッチ３６に隣接して紙幣金庫施錠部３７が装着されており、解錠用の鍵（図示せず）が無ければ紙幣金庫１４を取り外すことができないようになっている。
【００４６】
前扉３の上部右側の内面側には、キー入力装置１５が、扉前側壁３０と紙幣識別装置１３の装置本体３４との間に挟まるように取り付けられている。キー入力装置１５のキー入力操作部１５ａは、キー入力用開口部３ｂから前扉３（扉前側壁３０）の前面側に露出しており、外部（前側）から操作可能となっている。
【００４７】
前扉３の内面側の紙幣識別装置１３の下方には硬貨識別装置１６が取り付けられており、硬貨識別装置１６の前側に設けられた硬貨投入口１６ａは、硬貨投入口用開口部３ｅから前扉３（扉前側壁３０）の前面側に露出している。また、硬貨識別装置１６の下方には硬貨払出装置１７が取り付けられており、硬貨識別装置１６の下端部は、図示しない硬貨流通路を介して硬貨払出装置１７の上端部に接続されている。硬貨識別装置１６の硬貨投入口１６ａから投入された硬貨は、硬貨流通路を通って硬貨払出装置１７に収容されるようになっている。また、硬貨払出装置１７の左隣には、硬貨金庫１８が取り付けられており、図示しない硬貨排出路を介して硬貨払出装置１７に接続されている。硬貨払出装置１７に蓄積された硬貨が満杯になった場合、硬貨払出装置１７の硬貨排出路を通じて硬貨金庫１８に硬貨が排出されるようになっている。なお、上記した紙幣金庫１４と硬貨金庫１８とが、金銭管理用金庫の具体例である。
【００４８】
硬貨金庫１８は、図示しない取付ブラケットを介して前扉３の内面側に固定されており、硬貨金庫１８の背面側には、硬貨金庫１８が取付ブラケットから取り外されたこと（移動）を検知可能な硬貨金庫スイッチ４１（図３参照）が設けられている。なお、硬貨金庫スイッチ４１に隣接して硬貨金庫施錠部４２が装着されており、解錠用の鍵（図示せず）が無ければ硬貨金庫１８を取り外すことができないようになっている。なお、上記した紙幣金庫スイッチ３６と硬貨金庫スイッチ４１とが、金銭管理用金庫検知部の具体例である。
【００４９】
図１、図２及び図６に示すように、前扉３の内面側の硬貨払出装置１７の下方には、取出口ユニット１９が取り付けられている。取出口ユニット１９は、前方及び下方が開放された箱型形状を成した取出口枠４４と、取出口枠４４の内部下方に設けられた取出口ガイド４５と、で構成されている。取出口ユニット１９は、釣銭・領収証取出口３ｇの後側に配置されており、釣銭・領収証取出口３ｇを覆う取出口カバー３２を開放することで、取出口ユニット１９内の収容空間４６に収容された釣銭や領収証を取り出せるようになっている。
【００５０】
取出口枠４４の後側壁４４ａには取出連通口４７が開口している。取出連通口４７は、レシートプリンタ１０からのレシート紙が通過可能な横長矩形のスリット状に形成されている。レシートプリンタ１１から発行される領収証類は、取出連通口４７を介して取出口ガイド４５に排出されるようになっている。また、取出口枠４４の後側壁４４ａの下端には、斜め前方に折れ曲がった傾斜部４４ｂが形成されている。さらに、取出口枠４４の上端部は、硬貨払出装置１７の下端部に対し離間して設けられており、硬貨払出装置１７と取出口枠４４とは、硬貨払出路４３を介して連通している。この硬貨払出路４３は、硬貨払出装置１７から払い出される釣銭を通過させる程度の小さな流通路である。
【００５１】
取出口ガイド４５は、トレイ状に形成されており、その前端部を釣銭・領収証取出口３ｇの下端に接続し、後端部を取出口枠４４の後側壁４４ａに接続している。また、取出口ガイド４５は、後方に向かって下傾した状態で取り付けられている。
【００５２】
次に、図３を参照して駐車料金精算機１の電気的構成について説明する。図３は、第１の実施形態に係る駐車料金精算機１の電気的構成を示すブロック図である。
【００５３】
駐車料金精算機１は、ＣＰＵ（Ｃｅｎｔｒａｌ  Ｐｒｏｃｅｓｓｉｎｇ  Ｕｎｉｔ）５０と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、ハードディスク等のメモリ５１と、を備えている。ＣＰＵ５０とメモリ５１とは、バス５２を介して相互に接続されている。ＣＰＵ５０は、メモリ５１に記憶されたプログラムに従い、上記した各構成要素を制御する。なお、本発明の請求範囲にある制御手段の具体例がＣＰＵ５０である。
【００５４】
また、カード読取処理装置１０と、レシートプリンタ１１と、表示画面装置１２と、紙幣識別装置１３と、キー入力装置１５と、硬貨識別装置１６と、硬貨払出装置１７と、ソレノイド（駆動装置）５４と、スピーカ５５と、フラップ制御部５６と、がインターフェイス５３に接続されている。さらに、インターフェイス５３には、紙幣金庫スイッチ３６と、硬貨金庫スイッチ４１と、扉開検知スイッチ５７と、ハンドル検知スイッチ５８と、が接続されている。インターフェイス５３に接続された各構成要素は、バス５２を介してＣＰＵ５０等に接続されている。
【００５５】
フラップ制御部５６は、駐車場内の各駐車スペースに設けられた複数のフラップ装置や車両検知センサ（いずれも図示せず）に接続されており、ＣＰＵ５０の制御の下、各フラップ装置のフラップ板（図示せず）の上げ下げが行われるようになっている。すなわち、駐車料金精算機１は、各フラップ装置の制御機能を有している。
【００５６】
扉開検知スイッチ５７は、前扉３が開放されたこと（及び前扉３の閉止されたこと）を検知するものであり、ハンドル検知スイッチ５８は、ハンドル２７ｂが前扉３の鍵によって回転操作可能に突出されたことを検知するものである。また、ソレノイド５４は、上記したロックスライドの移動を制御するものである。具体的には、ソレノイド５４は、前扉３の鍵の操作に加えて係員ＩＤ等が認証された際に、ロックスライドの移動が規制された状態から、図示しない動力伝達機構を介してロックスライドの移動を可能とする状態にするための駆動装置である。なお、扉開検知スイッチ５７が開閉扉検知部の具体例であるが、扉開検知スイッチ５７とハンドル検知スイッチ５８との検知を合わせて、開閉扉検知部の具体例としてもよい。
【００５７】
次に、図４乃至図６を参照して、レシートプリンタ１１について詳細に説明する。図４は、第１の実施形態に係る駐車料金精算機１のレシートプリンタ１１においてロール紙７０の切断前の状態を示す外観斜視図である。図５は、第１の実施形態に係る駐車料金精算機１のレシートプリンタ１１の電気的構成を示すブロック図である。図６は、第１の実施形態に係る駐車料金精算機１のレシートプリンタ１１においてロール紙７０の切断後の状態を示す断面図である。
【００５８】
図４及び図６に示すように、レシートプリンタ１１は、例えば、サーマル方式のプリンタであり、主要な外観を成す本体ケース６０の内部に、長尺の感熱紙を巻回して構成されたロール紙７０を収容している。また、レシートプリンタ１１は、ロール紙７０の先端側を引き出しながら搬送するプラテンローラ６１と、プラテンローラ６１の上方に配設されたサーマルヘッド６２と、プラテンローラ６１の搬送方向下流側に配設されたカッター装置６３と、を有している。
【００５９】
本体ケース６０は、略直方体形状であり、後方上部が斜めに面取りされている。また、本体ケース６０の前面６０ａの上部には、左右方向に細長い矩形状の発行口６０ｂが貫通形成されている。発行（印刷）されたレシート紙７２は、この発行口６０ｂから本体ケース６０の外部に排紙されるようになっている。発行口６０ｂの上下方向の長さ（以下、「縦幅」という。）は、上記した取出口ユニット１９の取出連通口４７の縦幅よりも小さく形成されている。また、前扉３を閉じた状態で、取出連通口４７に向かい合う発行口６０ｂは、取出連通口４７の上下方向略中央よりもやや上側に位置している。
【００６０】
本体ケース６０の前面６０ａで、発行口６０ｂの下側には、下辺部のヒンジ（図示せず）を中心に手前側に回動可能な蓋６０ｃが取付けられている。ロール紙７０が消費され紙切れした際には、係員が蓋６０ｃを開けてロール紙７０を交換（芯棒を取り出して新しいロール紙７０を装着）することができるようになっている。
【００６１】
サーマルヘッド６２は、押圧機構（図示せず）によって、先端側を引き出されたロール紙７０の引出し部７１を挟んでプラテンローラ６１に押圧されている。
【００６２】
カッター装置６３は、ロール紙７０の引出し部７１の上側に固定された固定刃６３ａと、引出し部７１の下側に上下動可能に設けられた可動刃６３ｂと、により構成されている。
【００６３】
固定刃６３ａは、下方に向けた刃先が左右方向に略水平に配設されている。可動刃６３ｂは、上方に刃先を向けて配設され、前方から見て左右両端が最も上方に突出しており、左右両端から左右方向中央に向かうに従って下傾した形状に形成されている。また、可動刃６３ｂの左右方向中央部には、下方に矩形状に切り欠かれたカッター凹部６３ｃが形成されている。
【００６４】
次に、レシートプリンタ１１の電気的構成について説明する。図５に示すように、レシートプリンタ１１は、電気的構成として、上記したインターフェイス５３に接続されたデータ送受信部６４と、データ送受信部６４に接続された制御部６５と、制御部６５に接続された駆動部６６と、を有している。
【００６５】
駆動部６６は、プラテンローラ６１の回転駆動を制御する搬送部６７と、サーマルヘッド６２を制御するプリント部６８と、カッター装置６３（可動刃６３ｂ）の駆動を制御する切断部６９と、から構成されている。
【００６６】
レシートプリンタ１１による一般的なレシート紙７２の発行（印刷）手順について説明する。レシートプリンタ１１のデータ送受信部６４がＣＰＵ５０の指令に基づいて送信されたプリントデータを受信すると、制御部６５は駆動部６６に印刷指令を出力する。駆動部６６は、その印刷指令に従って搬送部６７、プリント部６８及び切断部６９を制御する。そして、駆動部６６は、搬送部６７を駆動してロール紙７０の引出し部７１を搬送させながら、サーマルヘッド６２の多数の発熱素子をＯＮ／ＯＦＦさせ、引出し部７１に印刷情報７３を印刷する。印刷情報７３の印刷が終了すると、制御部６５は、駆動部６６を介して切断部６９に切断指令を出力し、カッター装置６３の可動刃６３ｂを駆動する。そして、可動刃６３ｂと固定刃６３ａとの間に挟み込まれたロール紙７０の引出し部７１の印刷された部分が切断されることで、レシート紙７２が発行される。
【００６７】
次に、図４及び図６を参照して、上記したレシートプリンタ１１を有する駐車料金精算機１によって、領収証や各種の帳票等のレシート紙７２を発行する場合の動作について簡単に説明する。まず、通常の駐車料金額の支払い証明として領収証を駐車場利用者が要求する場合、駐車場利用者は、利用料金の支払いを完了後、キー入力装置１５のキー入力操作部１５ａにある領収証発行キー（図示せず）を押下する。このキー押下を受けて、駐車料金精算機１のＣＰＵ５０は、レシートプリンタ１１に領収証の発行指令を出力する。これにより、ロール紙７０の引出し部７１は、発行口６０ｂから本体ケース６０の外部に排出される。なお、レシート紙７２には、予め設定されたヘッダー文字（駐車場名等）に引き続いて、駐車開始日時、精算日時、駐車料金、投入金額、釣銭金額等の印刷情報７３が印刷される。
【００６８】
そして、搬送されたロール紙７０の引出し部７１は、カッター装置６３の可動刃６３ｂが図６に示す位置から一定のストローク分上昇移動することで切断され、レシート紙７２が得られる。なお、通常の切断動作においては、可動刃６３ｂのカッター凹部６３ｃの水平下端部６３ｄが、固定刃６３ａよりも上方に移動するように動作設定がなされており、引出し部７１が完全に切断される。以下、このようなロール紙７０の引出し部７１の切断を「完全切断」と言うことにする。
【００６９】
ここで、図４に示す状態で完全切断がなされた場合は、図６に示すように、ロール紙７０（引出し部７１）の先端部は、レシートプリンタ１１の発行口６０ｂの内部に残存し、発行されたレシート紙７２は、取出口ユニット１９の取出口ガイド４５上に落下することになる。
【００７０】
一方、完全切断時よりも可動刃６３ｂの上昇移動のストロークを少なく制御することによって、カッター凹部６３ｃの左右方向の幅だけを残して、ロール紙７０の引出し部７１を完全に切断しない状態のレシート紙７２を得ることもできる（図７参照）。すなわち、可動刃６３ｂのカッター凹部６３ｃの水平下端部６３ｄが、固定刃６３ａよりも下方で停止するように動作設定がなされている。これにより、レシート紙７２の後端には、左右方向中央部分に切断されずに残った連結部７４と、連結部７４の左右両端に切り込まれたスリット部７５と、が形成される（図７参照）。以下、このような切断を「部分切断」と言うことにする。
【００７１】
図７は、第１の実施形態に係る駐車料金精算機１のレシートプリンタ１１において部分切断が２回行われた状態を示す斜視図であり、図８は、その断面図である。
【００７２】
図７及び図８に示すように、先に部分切断設定でレシート紙７２ａの発行を行った状態で、次のレシート紙７２ｂの発行を行うと、前回発行されたレシート紙７２ａと今回発行されたレシート紙７２ｂとは、連結部７４によって連結された状態で排出される。なお、レシートプリンタ１１の切断動作を一度、部分切断に設定すると、発行されるレシート紙７２は延々と連結部７４で連結された状態で出力される。また、図４は切断前の状態であるが、部分切断を１回行った状態と全く外観上は同じである。
【００７３】
次に、図６、図８乃至図１１を参照して、実際に領収証及び金銭情報の帳票を印刷するための構成及び動作について説明する。図９は、第１の実施形態に係る駐車料金精算機１の制御手段（ＣＰＵ５０）の機能構成を示す説明図である。図１０は、第１の実施形態に係る駐車料金精算機１のレシートプリンタ１１の制御部６５の設定機能の構成を示す説明図であり、図１１は、制御部６５の印刷機能の構成を示す説明図である。なお、図９乃至図１１は、夫々本発明の特徴を示す主たる機能だけをブロック図で示したものである。また、なお、図６は通常の領収証を発行した状態を示し、図８は係員が前扉３を開放して、金銭情報の帳票を発行した状態を示している。
【００７４】
図９に示すように、駐車料金精算機１の制御手段としてのＣＰＵ５０は、検知スイッチ解析５０ａ、キー入力解析５０ｂ、表示画面データ生成５０ｃ、音声データ生成５０ｄ、精算処理５０ｅ、データ管理処理５０ｆ、レシート発行５０ｇ等の機能を有している。
【００７５】
検知スイッチ解析５０ａとは、各部のスイッチ状態を常に監視する機能である。具体的には、ＣＰＵ５０は、検知スイッチ解析５０ａの機能により、扉開検知スイッチ５７、紙幣金庫スイッチ３６、硬貨金庫スイッチ４１、ハンドル検知スイッチ５８等のＯＮ／ＯＦＦ状態を監視している。
【００７６】
キー入力解析５０ｂとは、キー入力操作部１５ａを介して利用者からのキー入力があった場合に、入力されたキーの種類を判断（認識）する機能である。具体的には、ＣＰＵ５０は、キー入力解析５０ｂの機能により、図示しない精算キー又は車両を駐車した駐車スペースの番号をテンキーで入力したことを認識し、キー入力の順序等に基づき利用者からどのような指令があったのかを判断する。
【００７７】
表示画面データ生成５０ｃとは、キー入力解析５０ｂの結果に対応したガイダンス等を表示画面装置１２に表示する機能であり、音声データ生成５０ｄは、ガイダンス等の内容を音声出力する機能である。
【００７８】
精算処理５０ｅとは、キー入力装置１５により入力を受け付けた駐車スペース（車室）番号と当該駐車スペースへの入庫時刻等の情報に基づいて、表示画面装置１２に駐車料金額や支払い金額等を表示すると共に、利用者からの支払い金額の確認や釣銭の発行等を行う機能である。
【００７９】
データ管理処理５０ｆとは、受領した金額や払い出した釣銭額等の履歴（金銭管理情報）やレシート紙７２の発行回数等をメモリ５１に記録する機能である。
【００８０】
レシート発行５０ｇとは、レシート発行指令を出力し、レシートプリンタ１１にプリントデータを送信する機能である。
【００８１】
図１０に示すように、レシートプリンタ１１の制御部６５は、設定機能として、ヘッダ画像設定６５ａ、搬送動作設定６５ｂ、カッター動作設定６５ｃ、プリント動作設定６５ｄ等の機能を有している。なお、レシートプリンタ１１は、印刷動作の以前に各機能の設定を適切に行う必要がある。
【００８２】
ヘッダ画像設定６５ａとは、レシート紙７２が利用者向けの領収証の場合に常に印刷される駐車場名や企業ロゴ等を予めヘッダ画像として制御部１２内の記憶領域（図示せず）に記憶しておく機能である。
【００８３】
搬送動作設定６５ｂとは、例えば印刷動作の際にロール紙７０（引出し部７１）の端から何ｍｍの位置から印刷を開始するか、印刷を終えた後で何ｍｍの余白を持たせるか、或いは切断した後に何ｍｍフィードさせるか等の初期設定を行う機能である。
【００８４】
カッター動作設定６５ｃとは、ロール紙７０の引出し部７１を切断する場合に、可動刃６３ｂの移動距離（移動量）を設定する機能であり、完全切断か部分切断かを選択的に切換える機能を有している。
【００８５】
プリント動作設定６５ｄとは、サーマルヘッド６２の余熱状態や詳細な印刷性能（解像度等）に係る設定を行う機能である。
【００８６】
図１１に示すように、レシートプリンタ１１の制御部６５は、印刷機能として、受信データ解析６５ｅ、文字生成６５ｆ、図形生成６５ｇ、プリントデータ生成６５ｈ、レシート紙切断６５ｉ、レシート紙搬送６５ｊ等の機能を有している。
【００８７】
受信データ解析６５ｅとは、データ送受信部６４で受信されたデータがプリントデータであるか、他の設定変更データであるかを解析して識別する機能である。
【００８８】
文字生成６５ｆ及び図形生成６５ｇとは、プリントデータから印刷する文字及び図形を生成する機能である。なお、図形生成６５ｇの機能で生成する図形には、例えば、バーコードやＱＲコード（登録商標）等の２次元コードも含まれる。
【００８９】
プリントデータ生成６５ｈとは、文字及び図形をロール紙７０（の引出し部７１）上に実際に印刷するドット配列のデータを生成する機能である。
【００９０】
レシート紙切断６５ｉとは、ロール紙７０（引出し部７１）を設定された条件（完全切断又は部分切断）で切断する機能であり、レシート紙搬送６５ｊとは、レシート紙７２をプリントデータや設定されたフィード条件等によって適宜搬送移動させる機能である。
【００９１】
次に、図６、図８乃至図１１を参照して、利用者が、駐車料金精算機１で駐車料金の精算を行い、領収証を得る場合について説明する。
【００９２】
まず、事前作業として、係員は、レシートプリンタ１１の制御部６５の設定機能を用いて、ヘッダ画像、搬送動作、カッター動作及びプリント動作について予め設定を行う。これにより、設定された条件で領収証の印刷や搬送が行われる。ここでは、カッター動作設定６５ｃは上記した「完全切断」に設定されている。
【００９３】
駐車場の利用者は、キー入力操作部１５ａを用いて所定のキー入力操作を行う。ここでは、利用者が、駐車料金精算機１で駐車料金精算を行うために、駐車スペース番号の入力に続いて精算キーを押下したと共に、領収証を得るために領収証発行キーを押下したものとする。
【００９４】
ＣＰＵ５０は、キー入力解析５０ｂの機能によって、利用者から駐車スペース番号の入力と精算キーが押下されたことを判断（認識）し、表示画面データ生成５０ｃの機能によって、表示画面装置１２に料金精算に対応したガイダンスを表示させる。ガイダンスは、例えば「料金をお支払いください。領収証が必要な場合は領収証発行キーを押して下さい。」等の文字表示である。また、ＣＰＵ５０は、同時に音声データ生成５０ｄの機能によって、同様の音声出力をスピーカ５５に出力する。
【００９５】
その後、ＣＰＵ５０は、精算処理５０ｅの機能によって、表示画面装置１２に駐車料金額を表示する。利用者は、表示画面装置１２の表示を見て、紙幣挿入口３５や硬貨投入口１６ａから駐車料金を挿入（投入）する。なお、このとき、表示画面装置１２には、支払い金額等が表示される。
【００９６】
ＣＰＵ５０は、精算処理５０ｅの機能によって、受領した金額が、駐車料金以上である場合には次の工程に移行し、駐車料金未満である場合には表示画面装置１２の駐車料金の表示を維持する。また、ＣＰＵ５０は、精算処理５０ｅの機能によって、必要に応じて釣銭の払出等を行う。図６では、レシート紙７２の排出に先立って、釣銭硬貨Ｃが硬貨払出装置１７から硬貨払出路４３を通じて払い出された状態を示している。なお、ＣＰＵ５０は、データ管理処理５０ｆの機能によって、受領した金額や払い出した釣銭額等の履歴を金銭管理情報としてメモリ５１に記録する。
【００９７】
また、ＣＰＵ５０は、キー入力解析５０ｂの機能によって、利用者から領収証発行キーが押下されたことを判断（認識）し、レシート発行５０ｇの機能によって、レシート発行指令（この場合は領収証発行指令）を出力すると共に、レシートプリンタ１１にプリントデータを送信する。
【００９８】
レシートプリンタ１１の制御部６５は、受信データ解析６５ｅの機能として、ＣＰＵ５０のレシート発行５０ｇの機能により送信されてきたプリントデータを認識する。そして、制御部６５は、文字生成６５ｆ及び図形生成６５ｇの各機能によって文字及び図形を生成し、プリントデータ生成６５ｈの機能によってこの文字及び図形からドット配列のデータを生成する。制御部６５は、駆動部６６を介して、このドット配列のデータに基づきサーマルヘッド６２を制御して、ロール紙７０の引出し部７１に印刷処理を実行させる。なお、印刷が終了した引出し部７１（レシート紙７２）の先端部は、取出口ユニット１９の取出連通口４７を通って収容空間４６に進出している。
【００９９】
そして、制御部６５は、レシート紙切断６５ｉの機能によって、カッター装置６３の可動刃６３ｂを駆動させ、ロール紙７０の引出し部７１の印刷部分を完全切断する。これにより、発行されたレシート紙７２は、取出口ユニット１９の後面の取出連通口４７を通じて取出口ガイド４５上に排出される。
【０１００】
利用者は、取出口カバー３２を押し開けて収容空間４６に手を挿入し、取出口ユニット１９の取出口ガイド４５上に排出されたレシート紙７２を釣銭硬貨Ｃと一緒に掻き出すようにして取り出すことができる。
【０１０１】
次に、図７乃至図１１を参照して、係員が、金銭管理情報の帳票としてのレシート紙７２を発行する場合について説明する。
【０１０２】
まず、係員は、錠前ユニット２７を開錠し、突出させたハンドル２７ｂを回転操作して筐体２側のロックスライドと、前扉３のフック板のフック穴との係合を解除する。これにより、筐体２に対して前扉３が開放される。その際、ハンドル検知スイッチ５８は、ハンドル２７ｂが回転操作可能に突出されたことを検知し、その後、扉開検知スイッチ５７は、前扉３が開放されたこと（前扉３の開閉）を検知する。これらの検知結果は、ＣＰＵ５０の検知スイッチ解析５０ａの機能によって逐次判断されている。なお、前扉３を開放して作業を行うことを予め許可された係員であるか否かを確認した後に、前扉３の開放が可能となるようにしてもよい。この場合、前扉３の開放を許可された係員か否かは、係員が所持するＩＤカードをカード読取処理装置１０により読み取ることでＩＤを認証するか、又は、キー入力装置１５のキー入力操作部１５ａでの予め登録された暗証番号の入力を受けて認証するか等により行われる。そして、認証された場合に、ＣＰＵ５０がソレノイド５４を駆動してロックスライドの移動規制を解除すると、ロックスライドに連結されたハンドル２７ｂの回転操作が可能となる。このような、高度なセキュリティ制限をかける運用形態をとることもできる。
【０１０３】
ＣＰＵ５０は、扉開検知スイッチ５７によって前扉３の開放が検知されたことを認識すると、レシートプリンタ１１に対して、カッター動作設定６５ｃの設定変更を指示する。具体的には、ＣＰＵ５０は、カッター動作設定６５ｃを上記した「部分切断」に設定変更するような指令をレシートプリンタ１１に出力する。この設定変更の指令は、レシートプリンタ１１のデータ送受信部６４を介して制御部６５により受信される。制御部６５は、カッター動作設定６５ｃの機能によって、「部分切断」が実行されるようにカッター装置６３の可動刃６３ｂの移動量を設定し、その設定を制御部６５の記憶領域（図示せず）に記憶する。なお、扉開検知スイッチ５７が前扉３の閉止を検知するか、当該前扉３の閉止の検知に加え、さらにハンドル検知スイッチ５８がハンドル２７ｂの収容を検知するとＣＰＵ５０は、自動的にカッター動作設定６５ｃを「完全切断」に設定変更する。
【０１０４】
ここで、金銭管理情報の帳票としてのレシート紙７２を発行するには、以下の２通りの操作方法がある。なお、金銭管理情報は、ＣＰＵ５０のデータ管理処理５０ｆの機能によってメモリ５１に記録されている。
【０１０５】
まず、金銭管理情報の帳票発行を手動で操作する場合、係員は、表示画面装置１２に表示されたメンテナンス設定操作画面（図示せず）の指示に従ってキー入力装置１５のキー入力操作部１５ａを用いて所定の入力操作を行う。この係員からの手動入力により、ＣＰＵ５０は、レシート発行５０ｇの機能によって、金銭管理情報の帳票としてレシート紙７２を出力（発行）することができるようになっている。
【０１０６】
また、他の方法として、紙幣金庫１４又は硬貨金庫１８を取り外すことで自動的に帳票発行が行われる。具体的には、係員が紙幣金庫施錠部３７又は硬貨金庫施錠部４２を解錠し、紙幣金庫１４又は硬貨金庫１８を取り外したことを紙幣金庫スイッチ３６又は硬貨金庫スイッチ４１が検出する。ＣＰＵ５０は、この検出結果を認識し、該当する金庫１４，１８の内部に収容された合計金額等を、メモリ４１に記録された履歴データから読み出す。これにより、ＣＰＵ５０は、レシート発行５０ｇの機能によって、金銭管理情報の帳票としてのレシート紙７２を出力（発行）することができるようになっている。
【０１０７】
上記した２つの操作方法の何れかを実行することにより、ロール紙７０の引出し部７１は部分切断されて、連結部７４で繋がった状態のレシート紙７２が発行される。図８では、例えば、紙幣金庫１４が先に取り外されることで発行されたレシート紙７２ａと、その後に硬貨金庫１８が取り外されることで発行されたレシート紙７２ｂと、まだ発行されていないロール紙７０の引出し部７１と、が夫々連結部７４で繋がっている状態を示している。なお、図８では、金銭管理情報の帳票としてのレシート紙７２ａ，７２ｂが発行された状態を示しており、前扉３は開放され、レシートプリンタ１１の発行口６０ｂの前方も開放された状態となっているため、前扉３が閉状態における前扉３及び取出口ユニット１９の位置を二点鎖線で示している。
【０１０８】
そして、係員は、レシート紙７２ｂを摘んで前方に引っ張ることで、レシート紙７２ｂと引出し部７１との間の連結部７４を切断し、レシート紙７２ａ及びレシート紙７２ｂ（連結部７４で連結された状態）を得ることができる。
【０１０９】
以上の本実施形態に係る駐車料金精算機１によれば、駐車場の利用者が操作可能な通常の状態（前扉３の閉じた状態）において、利用者が領収証等の発行要求をした場合には、レシート紙７２が、自動的に完全切断され、取出口ユニット１９の収容空間４６に収容される。これにより、利用者は、容易にレシート紙７２を受け取ることができる。
【０１１０】
一方で、前扉３が開いた状態で行なわれるメンテナンス等の際には、レシート紙７２（７２ｂ）は、部分切断されてレシートプリンタ１１内の引出し部７１に対して連結部７４で繋がった状態で発行される。これにより、発行されたレシート紙７２が、レシートプリンタ１１の発行口６０ｂから落下してしまうことを防止することができる。また、これにより、複数種のメンテナンス毎（例えば、紙幣金庫１４と硬貨金庫１８とを順番に取り外す等）に、複数のレシート紙７２ａ，７２ｂが発行される場合、係員は、各レシート紙７２ａ，７２ｂを常に個別に保持する必要がなく、まとまった状態で保持することができる。従って、例えば、発行されたレシート紙７２が風に飛ばされる等して紛失することを防止することができる。また、各レシート紙７２ａ，７２ｂは、連結部７４で僅かに繋がった状態であるため、係員は、容易に連結部７４を切断することができる。これにより、レシート紙７２毎に分割することができ、レシート紙７２を個別に保管することができる。
【０１１１】
また、本実施形態に係る駐車料金精算機１によれば、前扉３の開状態を検知してレシートプリンタ１１のカッター動作設定６５ｃの設定を変更することができると共に、金銭管理用の金庫（紙幣金庫１４や硬貨金庫１８）を取り外した時に自動的にレシートプリンタ１１によりレシート紙７２が発行される。また、複数の金銭管理用の金庫がある場合、個々の金庫を取り外す度に、個々に自動的なレシート紙７２の発行が行われる。これにより、駐車料金精算機１を管理する係員にとって、管理容易性及び利便性を向上させることができる。なお、自動的に発行される金銭管理情報の帳票としてのレシート紙７２には、上述した金庫内に収容された合計金額だけでなく、金庫を取り外した時刻や作業者のＩＤ番号等が含まれていてもよい。また、必ずしも金庫内の合計金額を含まなくともよい。
【０１１２】
（第２の実施形態）
以下、図１２乃至図１５を参照して、本発明の第２の実施形態に係る駐車料金精算機１について説明する。図１２は、本発明の第２の実施形態に係る駐車料金精算機１のレシートプリンタ１１において複数のレシート紙７２ａ，７２ｂが発行され、前扉３が閉止された状態を示す断面図である。図１３は、本発明の第２の実施形態に係る駐車料金精算機１のレシートプリンタ１１において管理用レシート紙７６が発行された状態を示す断面図であり、図１４は、その斜視図である。図１５は、本発明の第２の実施形態に係る駐車料金精算機１のレシートプリンタ１１が発行した管理用レシート紙７６を示す説明図である。なお、第１の実施形態に係る駐車料金精算機１と同様の構成については、同一の符号を付し、その説明を省略する。
【０１１３】
図１２に示すように、係員が、連結部７４で繋がった状態で発行されたレシート紙７２ａ，７２ｂを、レシートプリンタ１１の発行口６０ｂから取り除くことなく（筐体２内部に残して）前扉３を閉じた場合には、これらのレシート紙７２ａ，７２ｂは、レシートプリンタ１１の前面と、取出口ユニット１９の取出口枠４４の外側後面との間に形成された隙間Ｓに挟まれた状態で臨むこととなる。このような場合、新たなレシート紙７２の発行を正常に行うことができない。このような不具合を解決するためには、例えば、上記の隙間Ｓにレシート紙７２が存在することを検知するセンサ等を別途設け、このセンサがレシート紙７２を検知した場合に、画面表示や音声等でレシート紙７２を取り除くことを係員に促すことが考えられる。しかしながら、このようなセンサを設けることは、駐車料金精算機１のコストアップにつながる。
【０１１４】
そこで、第２の実施形態例に係る駐車料金精算機１では、レシートプリンタ１１の前面側に発行口ガイド８０を設けると共にレシート紙７２が入り込んで保持されるような隙間Ｓを形成することにより、上記の不具合を解決している。
【０１１５】
この発行口ガイド８０は、平面視で矩形の板状に形成されており、レシートプリンタ１１の発行口６０ｂの直上に固定されている。また、発行口ガイド８０は、前方に向かって下傾しており、取出口枠４４の取出連通口４７を通じて先端部が収容空間４６に僅かに突出するように設けられている。
【０１１６】
図１２に示すように、前扉３が閉じた状態において、隙間Ｓを形成するレシートプリンタ１１（本体ケース６０）の前面６０ａと、取出口枠４４の外側後面４４ｃとは、互いに平行で平滑な面を成している。なお、平滑な面（前面６０ａ，外側後面４４ｃ）とは、レシート紙７２が挟まって破れない程度の凹凸を含む面を指している。
【０１１７】
この隙間Ｓは、ロール紙７０から切断されて巻き癖が付いているレシート紙７２ｂを挟むようにして保持し、レシート紙７２ｂが自重で落下しない程度の間隔（距離）となるように形成されている。従って、前方（外向き）に膨らんで湾曲形状となったレシート紙７２ｂは、若干平坦にされて隙間Ｓに進入し、自身の復元力（反発力）によってレシートプリンタ１１の前面６０ａと取出口枠４４の外側後面４４ｃとに当接し押圧されたような状態で、隙間Ｓに保持されている。
【０１１８】
第２の実施形態例に係る駐車料金精算機１では、前扉３を閉じた後に、例えば、係員がレシート紙７２ａ，７２ｂを取り忘れたことに気が付いた場合等において、前扉３が閉じられ、レシート紙７２ａ，７２ｂが隙間Ｓに入り込んだ（挟まれた）状態のままで、係員がメンテナンス操作を継続して行えるようになっている。具体的には、駐車料金精算機１のＣＰＵ５０は、データ管理処理５０ｆの機能の一部として所定データを出力し、レシート発行５０ｇの機能によって管理用レシート紙７６を発行し、レシート紙７２ａ，７２ｂを回収（レシート紙回収動作）することができるようになっている。なお、所定データには、予め設定された印刷情報７３等や空白（印刷しない）情報が記録されている。また、管理用レシート紙７６には、印刷情報７３等が印刷された管理票（例えば、作業完了証明書等）や、空白情報により印刷されずにフィード搬送して出力された余白票が含まれる。
【０１１９】
以下、図１３及び図１４を参照して、レシート紙回収動作について説明する。
【０１２０】
まず、係員は、前扉３の鍵を操作してハンドル２７ｂを突出させる。すると、ＣＰＵ５０は、駐車料金精算機１をメンテナンスモードとし、表示画面装置１２にメンテナンスモードのガイダンスを表示し、キー入力操作部１５ａのキーに対応したメンテナンスメニューを表示する。次に、係員は、キー入力装置１５のキー入力操作部１５ａにある管理票発行機能に対応するキーを押下する。すると、ＣＰＵ５０は、キー入力解析５０ｂの機能によって、係員から管理票発行が指示されたことを判断（認識）する。そして、係員が前扉３を閉止すると、通常は自動的にカッター動作設定６５ｃが「完全切断」に設定変更されるのだが、係員からの管理票発行指示があった場合、ＣＰＵ５０は、レシートプリンタ１１に対し、カッター動作設定６５ｃを「部分切断」にすることを指示する。そして、ＣＰＵ５０は、レシート発行５０ｇの機能によって、管理用レシート紙７６として、予め設定された文字情報（例えば、係員のＩＤ番号や作業完了時刻）等を印刷した紙片又はロール紙７０の引出し部７１をそのまま何も印刷せずにフィード搬送させた余白の紙片等を発行するようにレシートプリンタ１１に指示する。
【０１２１】
レシートプリンタ１１（制御部６５）は、受信データ解析６５ｅの機能によって受信データを解析して、プリント部６８の機能によって管理票を印刷し、又はレシート紙搬送６５ｊの機能によって余白票をフィード搬送させて、管理用レシート紙７６を発行する。つまり、レシートプリンタ１１は、キー入力操作部１５ａを介して入力操作されたことをＣＰＵ５０が認識した場合に、管理用レシート紙７６を発行するようになっている。
【０１２２】
管理用レシート紙７６は、隙間Ｓに保持されたレシート紙７２ｂに下方への移動がある程度制限されるため、発行口ガイド８０に沿って前方に向かって下傾して収容空間４６に突出するように送り出される。具体的には、管理用レシート紙７６が前方に搬送（発行）されると、レシート紙７２ｂと管理用レシート紙７６との間の連結部７４で折れ曲がり、この折れ曲がった部分が、取出連通口４７から収容空間４６に突出した状態となる。
【０１２３】
そして、係員は、取出口カバー３２を押し開けて収容空間４６に手を挿入し、取出連通口４７から突出した管理用レシート紙７６を摘んで前方に引き出す。すると、管理用レシート紙７６と発行口６０ｂ内の引出し部７１との間の連結部７４が切断され、隙間Ｓに挟まれたレシート紙７２ａ，７２ｂが引き出される。このとき、取出口枠４４の下端には傾斜部４４ｂが形成されているため、この引き出しの際にレシート紙７２ａ，７２ｂが取出口枠４４の後側壁４４ａの下端に引っ掛かってしまうことを防止することができる。なお、管理用レシート紙７６の前後方向の長さＬ（図１５参照）は、レシート紙７２の前後方向の長さよりも短く、収容空間４６内に係員が手を挿入して摘める程度の長さで十分である。なお、隙間Ｓにレシート紙７２が挟まっていない場合であっても、係員からの管理票発行指示によって他の作業内容を印刷した作業完了証明書としての管理用レシート紙７６を発行するようにしてもよい。この場合、管理用レシート紙７６には、例えば、図１５に示すように、係員のＩＤ番号や作業完了時刻を含んだ情報を印刷することが好ましい。
【０１２４】
第２の実施形態に係る駐車料金精算機１によれば、発行口ガイド８０は、レシートプリンタ１１の発行口６０ｂの直上に固定されているため、隙間Ｓに入り込むまでの過程において、レシート紙７２が取出連通口４７よりも上方向に移動することを規制している。このため、前扉３を閉めた際に、レシート紙７２が上方に舞い上がり、隙間Ｓに折れ曲がって挟まるようなことを防止することができる。これにより、隙間Ｓに入り込んで保持された（留まった）レシート紙７２（７２ａ，７２ｂ）を適切に引き出すことができる。また、取出連通口４７は、その縦幅を発行口６０ｂよりも大きく、且つ下方向に伸ばした矩形穴であるため、係員が管理用レシート紙７６を摘み出す際に、取出連通口４７の下端で管理用レシート紙７６（レシート紙７２）のスリット部７５が引っかかって連結部７４が切断されてしまうことを有効に防止することができる。なお、少なくともレシートプリンタ１１側の取出連通口４７の下端部は、バリ取りや面取りなどの処理を施したり、傾斜させた形状とすることが好ましい。
【０１２５】
また、第２の実施形態に係る駐車料金精算機１によれば、発行済みのレシート紙７２ａ，７２ｂは、隙間Ｓを形成するレシートプリンタ１１の前面６０ａと取出口枠４４の外側後面４４ｃとに軽く当接し挟み込まれるようにして隙間Ｓに保持された状態であるため自重で落下することがない。このため、管理用レシート紙７６は、隙間Ｓに臨むレシート紙７２ａ，７２ｂの重さにより下方に引っ張られることなく、取出口ユニット１９の取出連通口４７を通って収容空間４６に突出する。また、隙間Ｓを形成するレシートプリンタ１１（本体ケース６０）の前面６０ａと取出口枠４４の外側後面４４ｃとは平滑面であるため、各面６０ａ，４４ｃとレシート紙７２ａ，７２ｂとの間には、レシート紙７２ａ，７２ｂが自重で落下しない程度の摩擦力のみが働いている。従って、レシート紙７２ａ，７２ｂを引き出す際には、レシート紙７２ａ，７２ｂを繋ぐ連結部７４が切断される程の負荷はかからず、レシート紙７２ａ，７２ｂを円滑に隙間Ｓから取り去ることができる。
【０１２６】
（第２の実施形態の変形例）
第２の実施形態の変形例に係る駐車料金精算機１では、図１５に示すように、管理用レシート紙７６を管理運用上の作業完了証明書として発行することができる。例えば、各金庫１４，１８内の現金の回収を行ったことを証明する金銭管理情報の自動発行の他に、係員が独自に操作する帳票類の発行があった場合に、最後に前扉３を閉じた後に作業完了証明書として管理用レシート紙７６を発行するように設定しておく。すなわち、係員に作業完了証明書の収集を義務付けるといった管理運用を採用することができる。これにより、この作業完了証明書として管理用レシート紙７６を取得していない場合には、発行された金銭管理情報や他の情報のレシート紙７２を取り忘れた可能性があることを係員が認識することができる。
【０１２７】
この場合、ＣＰＵ５０が前扉３の開状態の際に少なくとも１回（１回以上）は何らかのレシート紙７２の発行（印刷）が実施されたことを認識し、且つ、ＣＰＵ５０が検知スイッチ解析５０ａの機能によって、駐車料金精算機１の扉開検知スイッチ５７が開状態から閉状態への変化を検出したことを認識した場合に、管理用レシート紙７６（作業完了証明書等）を自動的に発行するようにすることが好適である。すなわち、レシートプリンタ１１は、先にレシート紙が発行され且つ扉開検知スイッチ５７により前扉３の閉状態が検知されたことをＣＰＵ５０が認識した場合に、管理用レシート紙７６を発行するようになっている。なお、前扉３の開状態で１回以上のレシート紙７２の発行が行われたか否かは、ＣＰＵ５０が、メモリ５１に記録されたレシート紙７２の発行回数等を参照することにより認識される。もちろん、前扉３が開状態でレシート紙７２の発行が実施されない（隙間Ｓにレシート紙７２が挟まっていない）場合であっても、他の作業内容を印刷した作業完了証明書として、管理用レシート紙７６を自動的に発行するようにしてもよい。例えば、図１５に示すように、係員のＩＤ番号や作業完了時刻を含めて、係員が管理者に管理用レシート紙７６を提出するように義務付ける運用も有用である。
【０１２８】
また、この場合、前扉３を閉じた時（ハンドル２７ｂは未収納）に管理用レシート紙７６の発行の指令が実行され、ハンドル２７ｂが収納されたことをハンドル検知スイッチ５８が検知した時にレシートプリンタ１１のカッター動作設定６５ｃの機能によって部分切断から完全切断に切り替わるようにする。これにより、前扉３が閉じてハンドル２７ｂが収納されていない場合はメンテナンス作業が継続している状態であり、ハンドル２７ｂが収納されると完全にメンテナンス作業が完了した状態になるという扱いをすることで、ＣＰＵ５０の各種制御の複雑化を防止することができる。
【０１２９】
なお、上記した各実施形態（変形例含む）において、隙間Ｓを形成するレシートプリンタ１１の前面６０ａと取出口枠４４の外側後面４４ｃとの少なくとも一方に軽い樹脂性の板バネや可撓性を有する柔らかなクッション材等を設けて（貼付して）もよい。これにより、レシート紙７２が複数枚連結していても、前扉３を閉じた際に、自重で落下することなく隙間Ｓに留まり易くなり、レシート紙７２の回収を適切に行うことができる。その際の隙間Ｓの内面全体にクッション材等を介在させず、部分的に介在させるだけでもよい。例えば、取出口枠４４の外側後面４４ｃに縦長状のリブを形成することでも、上記と同様なレシート紙７２の保持効果を十分に期待することができる。
【０１３０】
なお、隙間Ｓの距離（レシートプリンタ１１の前面６０ａと取出口枠４４の外側後面４４ｃとの間隔）は、最も狭い場合はレシート紙７２の厚み以上であればよく、最も広い場合はレシート紙７２の最も短い発行状態における最も大きな径で巻き癖の付いた湾曲形状（カール状態）のレシート紙７２が進入可能、且つレシート紙７２の自重が掛かっても落下せず保持可能な距離（間隔）に形成されている。なお、各実施形態では、例えば、最も短い発行状態のレシート紙の長さＬが４０ｍｍで、最も大きな径が最大径時（新品時）の直径６０ｍｍのロール紙７０であれば、巻き癖の付いた湾曲形状の幅（弧の頂点から２つの端点を結ぶ割線に下ろした垂線の長さ）は約６．４ｍｍとなる。そこで、各実施形態では、湾曲形状の反発力による保持力を得るために、その半分の３ｍｍの隙間Ｓを構成することで、レシート紙７２の良好な挟み保持状態を得ることができている。
【０１３１】
上記した本発明の各実施形態（変形例含む）では、フラップ式駐車場に用いられる駐車料金精算機１について説明したが、例えば、ゲート式駐車場において車両退場時の駐車料金を管理する出口料金精算機や、駐車場に設置される事前精算機に本発明の構成を適用しても良い。また、例えば、自動販売機や券売機等、駐車場以外の場所に設置される料金管理装置に本発明の構成を適用しても良い。さらに、各管理装置の設置場所は、屋外であっても良いし、屋内であっても良い。
【産業上の利用可能性】
【０１３２】
本発明の技術は、駐車場に設置される駐車料金精算機等の料金管理装置において採用されて好適なものであるが、他には有料道路の料金収受機や屋外設置型の自動販売機、券売機等に採用されることが見込まれるものである。
【符号の説明】
【０１３３】
１  駐車料金精算機（料金管理装置）
２  筐体
３  前扉
３ｇ  釣銭・領収証取出口
１１  レシートプリンタ
１４  紙幣金庫（金銭管理用金庫）
１８  硬貨金庫（金銭管理用金庫）
１９  取出口ユニット
２６  前面開口部
３６  紙幣金庫スイッチ（金銭管理用金庫検知部）
４１  硬貨金庫スイッチ（金銭管理用金庫検知部）
４７  取出連通口
５０  ＣＰＵ（制御手段）
５７  扉開検知スイッチ
５８  ハンドル検知スイッチ
６０ｂ  発行口
６３  カッター装置
７０  ロール紙（所定の用紙）
７２，７２ａ，７２ｂ  レシート紙
７３  印刷情報
７６  管理用レシート紙
８０  発行口ガイド
Ｓ  隙間
【図１】
2014086039.tif 000003
【図２】
2014086039.tif 000004
【図３】
2014086039.tif 000005
【図４】
2014086039.tif 000006
【図５】
2014086039.tif 000007
【図６】
2014086039.tif 000008
【図７】
2014086039.tif 000009
【図８】
2014086039.tif 000010
【図９】
2014086039.tif 000011
【図１０】
2014086039.tif 000012
【図１１】
2014086039.tif 000013
【図１２】
2014086039.tif 000014
【図１３】
2014086039.tif 000015
【図１４】
2014086039.tif 000016
【図１５】
2014086039.tif 000017